【手続補正書】
【提出日】平成19年6月25日(2007.6.25)
【手続補正１】
【補正対象書類名】明細書
【補正対象項目名】発明の名称
【補正方法】変更
【補正の内容】
【発明の名称】受信装置及び受信方法
【手続補正２】
【補正対象書類名】明細書
【補正対象項目名】特許請求の範囲
【補正方法】変更
【補正の内容】
【特許請求の範囲】
【請求項１】  テレビジョン放送信号により配信されるテレビジョン放送コンテンツ及び当該コンテンツに係る番組情報を受信する受信手段と、
ネットワークに接続し、当該ネットワークを介して配信されるストリーミング放送コンテンツ及び当該コンテンツに係る番組情報を受信する通信手段と、
前記受信手段により受信された番組情報、及び前記通信手段により受信された番組情報に基づいて、前記テレビジョン放送コンテンツに関する番組ガイドと前記ストリーム放送コンテンツに関する番組ガイドとを統合（ｉｎｔｅｇｒａｔｅ）した統合番組ガイド画面を生成する画面生成手段とを備える受信装置。
【請求項２】  前記画面生成手段は、前記ストリーミング放送コンテンツに係る番組情報のフォーマットを、前記テレビジョン放送コンテンツに係る番組情報のフォーマットに対応するフォーマットに変換して、前記統合番組ガイド画面を生成する、請求項１に記載の受信装置。
【請求項３】  前記画面生成手段は、前記ストリーミング放送コンテンツに係る番組情報に、放送開始時刻に関する情報が含まれていない場合は、現在時刻を、前記ストリーミング放送コンテンツに係る番組の放送開始時刻として、前記統合番組ガイド画面を生成する、請求項１に記載の受信装置。
【請求項４】  さらに、前記統合番組ガイド画面上の任意の放送コンテンツを選択するための選択手段と、
前記選択手段に選択された放送コンテンツの画面を表示させる制御手段とを備える、請求項１に記載の受信装置。
【請求項５】  テレビジョン放送信号により配信されるテレビジョン放送コンテンツ及び当該コンテンツに係る番組情報を受信する受信ステップと、
ネットワークに接続し、当該ネットワークを介して配信されるストリーミング放送コンテンツ及び当該コンテンツに係る番組情報を受信する通信ステップと、
前記受信ステップで受信した番組情報、及び前記通信ステップで受信した番組情報に基づいて、前記テレビジョン放送コンテンツに関する番組ガイドと前記ストリーム放送コンテンツに関する番組ガイドとを統合した統合番組ガイド画面を生成する画面生成ステップとを備える受信方法。
【請求項６】  前記画面生成ステップにおいて、前記ストリーミング放送コンテンツに係る番組情報のフォーマットを、前記テレビジョン放送コンテンツに係る番組情報のフォーマットに対応するフォーマットに変換して、前記統合番組ガイド画面を生成する、請求項５に記載の受信方法。
【請求項７】 前記画面生成ステップにおいて、前記ストリーミング放送コンテンツに係る番組情報に、放送開始時刻に関する情報が含まれていない場合は、現在時刻を、前記ストリーミング放送コンテンツに係る番組の放送開始時刻として、前記統合番組ガイド画面を生成する、請求項５に記載の受信方法。
【請求項８】  さらに、前記統合番組ガイド画面上の任意の放送コンテンツを選択する選択ステップと、
前記選択ステップで選択された放送コンテンツの画面を表示させる制御ステップとを備える、請求項５に記載の受信方法。
【手続補正３】
【補正対象書類名】明細書
【補正対象項目名】００１７
【補正方法】変更
【補正の内容】
【００１７】
【課題を解決するための手段】
この様な問題を解決するため、本発明においては、テレビジョン放送信号により配信されるテレビジョン放送コンテンツ及び当該コンテンツに係る番組情報を受信する受信ステップと、ネットワークに接続し、当該ネットワークを介して配信されるストリーミング放送コンテンツ及び当該コンテンツに係る番組情報を受信する通信ステップと、前記受信ステップで受信した番組情報、及び前記通信ステップで受信した番組情報に基づいて、前記テレビジョン放送コンテンツに関する番組ガイドと前記ストリーム放送コンテンツに関する番組ガイドとを統合した統合番組ガイド画面を生成する画面生成ステップとを備える構成とした。
【手続補正４】
【補正対象書類名】明細書
【補正対象項目名】００２５
【補正方法】変更
【補正の内容】
【００２５】
まず、映像データについて説明する。ビデオデコーダ１０４は、デマルチプレクサ１０３より入力された映像データＤ１に対して、ＭＰＥＧ２のデコード処理を施し、復号した映像データを表示制御部１０９に出力する。表示制御部１０９は、操作部１１４もしくはリモコン１１６の操作に応じて画面を切り換えたり、多重したりして画像表示部１１２に表示させる。また複数の画像データ・音声データ・データ放送／ＥＰＧデータを受信した場合は、ここで画像を合成し、画像表示部１１２に出力する。ここで、画面構成部１０８については後述する。また、画面表示部１１２は不図示のモニタ及び映像信号入力端子を含む。
【手続補正５】
【補正対象書類名】明細書
【補正対象項目名】００５０
【補正方法】変更
【補正の内容】
【００５０】
ユーザはリモコン１１６のダウンロードキー３１１を操作することによって、図７の７００に示すダウンロードモジュール一覧を表示する。ダウンロードキー３１１の入力を受信したＣＰＵ１１８は、最新のダウンロードモジュール一覧を表示する為の情報が記載されたダウンロードテーブルを取得する為、通信制御部１２３を介しインターネット上の所定のサーバにアクセスする。本形態に於いて、このサーバは、受信機メーカーが提供することを想定する。このサーバよりダウンロードされたダウンロードテーブルは、メモリ１０７に一時的に保存される。ＣＰＵ１１８は、現在保持しているモジュールとメモリ１０７に一時的に保存したダウンロードテーブルとを比較し、ダウンロード可能か否かを識別して、ダウンロードモジュール一覧としてユーザに提示する。このとき比較する項目は、モジュールのバージョンや作成日時、ファイルサイズなどである。
【手続補正６】
【補正対象書類名】明細書
【補正対象項目名】００５２
【補正方法】変更
【補正の内容】
【００５２】
この様にダウンロードされたモジュールは、通信制御部１２３を経て一時メモリ１０７に記憶された後、ハードディスク１２１に格納される。これにより図４に示すＣＰＵ１１８で動作する制御ソフトウェアの構成は、新たなモジュールとしてストリーミング放送視聴モジュール（ストリーミング情報制御モジュール及びストリーミングデコーダ）が追加された状態となる。尚、通信制御部１２３が用いる通信プロトコルとしては、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）、ＵＤＰ（Ｕｓｅｒ  Ｄａｔａｇｒａｍ  Ｐｒｏｔｏｃｏｌ）、ＨＴＴＰ（Ｈｙｐｅｒ  Ｔｅｘｔ  Ｔｒａｎｓｆｅｒ  Ｐｒｏｔｏｃｏｌ）などが挙げられる。
【手続補正７】
【補正対象書類名】明細書
【補正対象項目名】００６０
【補正方法】変更
【補正の内容】
【００６０】
これらの情報はデータ放送／ＥＰＧデータＤ３から取得することの出来るＳＤＴやＥＩＴといった情報と同じ形式で記述されている。図１０に示す放送開始時刻が適当な値が格納されていた場合はライブ放送、そうでない場合はオンデマンド放送であると判断する。また、図９に示すプレビュー画像は、ＥＰＧ操作中リモコン１１６のカーソル３０５によりストリーミング放送の番組がフォーカスされた場合、子画面９０４に表示する為の静止画データを表している。
【手続補正８】
【補正対象書類名】明細書
【補正対象項目名】００８５
【補正方法】変更
【補正の内容】
【００８５】
図１７にマルチ画面予約実行時の画面動作を示す。視聴予約で２画面左側に表示するよう選択した場合、該当番組の放送時間が来ると、２画面表示となり、今まで見ていた番組を右側の画面１７０１に表示し、予約した番組を指定の通り左側の画面１７００に表示する。
【手続補正９】
【補正対象書類名】明細書
【補正対象項目名】００８９
【補正方法】変更
【補正の内容】
【００８９】
【発明の効果】
以上説明した様に、本発明によれば、テレビジョン放送コンテンツに関する番組ガイドと前記ストリーム放送コンテンツに関する番組ガイドとを統合した統合番組ガイド画面により、ユーザは容易に好みの番組を選択することが可能となる。